(57)【要約】【課題】ハイジャック発生時に、犯人が旅客機操縦室への進入を確実に阻止するのを前提として、旅客機の飛行中に、操縦室の中に常時いる旅客機を操縦するパイロット及び操縦業務をサポートする者が旅客機の操縦室を一時的に退室した場合、操縦室内にいる者の操作に依存しない確実に操縦室に戻れる手段を提供する。【解決手段】旅客機の飛行中に、操縦室の中に常時いる旅客機を操縦するパイロット及び操縦業務をサポートする者のみを対象に、彼らが旅客機の操縦室を一時的に退室し、再び操縦室に入ろうとする際、操縦室内にいる者は入室要請に応じず、更に、暗証番号によるドアロック緊急解除が強制的に無効化にされた場合、操縦室の中に常時いる旅客機を操縦するパイロット及び操縦業務をサポートする者にしか持たない認証情報を操縦室の暗証番号によるドアロック緊急解除の強制無効化を解除する手段を提供し、その手段に用いられる情報をシステムに登録し、情報読み取る装置を操縦室の外に設置する。【選択図】図１
2016190628.tif 000002
【特許請求の範囲】
【請求項１】
旅客機の飛行中に、操縦室の中に常時いる旅客機を操縦するパイロット及び操縦業務をサポートする者のみを対象に、彼らが旅客機の操縦室を一時的に退室し、再び操縦室に入る際、操縦室内にいる者からドアロックを解除してもらえず、更に暗証番号によるドアロック緊急解除が強制的に無効にされた時に、操縦室の暗証番号によるドアロック緊急解除の強制無効操作を無効にするドアロックを解除する手段を提供するのを特徴とする旅客機操縦室の入退室管理システム。
【請求項２】
操縦室の中に常時いる旅客機を操縦するパイロット及び操縦業務をサポートする者の生体情報を操縦室の暗証番号によるドアロック緊急解除の強制無効操作を無効にするドアロックを解除する手段に用いられる認証情報とするのを特徴とする旅客機操縦室の入退室管理システム。
【発明の詳細な説明】
【技術分野】
【０００１】本発明は、旅客機操縦室の入退室管理に関する。
【背景技術】
【０００２】従来、旅客機の操縦室には、ハイジャックや関係者以外の進入を防止するために頑丈なドアが取り付けられており、ドアは常時ロックされる。しかも、頑丈かつ強固な施錠を備えたものであることが義務づけられている。【０００３】ハイジャック防止の観点から、当該する飛行業務の旅客機を操縦するパイロットと操縦をサポートする者以外は、緊急時を除いて操縦室内への立ち入りは厳禁されている。【０００４】生理現象などを理由に、旅客機を操縦するパイロットと操縦をサポートする者は操縦室から出る時は、退室したいことをファーストクラス、またはビジネスクラスの客室乗務員にインターカムで伝える。【０００５】その客室乗務員は客室内の状況を確認して操縦室内の者に状況を伝え、操縦室内の者はモニターか、ドアについている覗き穴からドア周囲の状況を確認してから、ドアロックを解除し、操縦室から外に出る。【０００６】操縦室を一時退室した旅客機を操縦するパイロットと操縦をサポートする者は再び操縦室に入室する際は、インターカムにて操縦室内にいる者に入室したいことを伝え、操縦室内にいる者はモニターか、ドアについている覗き穴からドア付近の状況を確認してから、ドアロックを解除し、入室したい者を入室させる。【０００７】旅客機の操縦室ドアロック解除管理システムに、ドアロックを緊急解除する暗証番号は登録される。航空会社は、客室乗務員、パイロット及び操縦をサポートする者に対し、操縦室のドアロックを緊急解除する暗証番号を事前に伝える。操縦室内にいる者が気を失うなど理由にて、操縦室外の入室要請に応じられなくなったり、操縦室のドアロック解除操作できなくなったりする場合は、乗務員は操縦室の外に設置されたドアロック解除装置に伝えられた暗証番号を入力すれば、操縦室のドアロックを解除することができる。【０００７】ハイジャック防止の観点から、ハイジャック犯はこの暗証番号を把握している客室乗務員から暗証番号を入手して操縦室に侵入するのを想定し、操縦室中の装置にて、この暗証番号による操縦室ドアロック緊急解除操作を強制的に無効化することができる。
【発明の展示】
【発明が解決しようとする課題】
【０００８】上記のような従来の操縦室入退室システムでは、パイロット及び操縦をサポートする者が操縦室から一時的に退室した場合、操縦室中にいる者再入室の要請に応じず、更に、意図的に、または不意な操作にて暗証番号によるドアロック緊急解除を無効化にした場合、操縦室中にいる者はこの暗証番号によるドアロック緊急解除を無効化にした状態を解除しない限り、頑丈なドアと強固な施錠を破壊することもほぼ不可能なため、一時退室した者は操縦室に入る手段はない。
【０００９】操縦室から一時退室した者が操縦室に戻れなく、旅客機の安全に支障が出る危険性がある。
【課題を解決するための手段】
【００１０】本発明では上記課題を解決するため、下記のようなシステム構成を採用する。
【００１１】本特許出願に係る請求項１に記載の発明は、旅客機の飛行中に、操縦室の中に常時いる旅客機を操縦するパイロット及び操縦業務をサポートする者のみを対象に、彼らが旅客機の操縦室を一時的に退室し、再び操縦室に入室しようとする際、操縦室内にいる者は入室要請に応じず、更に暗証番号によるドアロック緊急解除が強制的に無効にされた時に、操縦室の暗証番号によるドアロック緊急解除の強制無効操作を無効にし、ドアロックを解除する手段を提供する。
【００１２】操縦室入退室管理システムに、暗証番号によるドアロック緊急解除の強制無効操作を無効にするドアロックを解除する手段に用いられる認証情報を記録する。操縦室外から操縦室の暗証番号によるドアロック緊急解除の強制無効操作を無効にするドアロックを解除する手段に用いられる認証情報を認証する装置を設置する。
【００１３】旅客機を操縦するパイロット及び操縦業務をサポートする者が旅客機の操縦室を一時的に退室し、再び操縦室に入室しようとする際、操縦室内にいる者は入室要請に応じず、操縦室の外部に設けた暗証番号によるドアロック解除装置にて暗証番号を入力しても、ドアロックが解除されない場合は、事前に操縦室入退室管理システムに設定された制限時間内に、操縦室の暗証番号によるドアロック緊急解除の強制無効操作を無効にするドアロックを解除する手段に用いられる認証情報を認証し、操縦室外からの暗証番号によるドアロック緊急解除の強制無効操作を無効にし、操縦室のドアロックを解除する。
【００１４】本特許出願に係る請求項１に記載の発明は、操縦室の外から暗証番号によるドアロック緊急解除強制無効化を解除する手段に用いる情報に、当該旅客機の操縦及び操縦サポートの者の生体情報を採用する。操縦室入退室システムに暗証番号による操縦室ドアロック緊急解除の強制無効化を解除する認証情報として登録する。生体情報を認証する装置をシステムに設け、操縦室外部の客室に生体情報を読み取る装置を設ける。
【００１５】旅客機の操縦室に常時的にいる旅客機を操縦するパイロット及び操縦業務をサポートする者が一時的に操縦室を退室し、再び操縦室に入室しようとする際、操縦室内にいる者は入室要請に応じず、更に、パイロット、操縦をサポートする者、客室乗務員が持っている暗証番号にて、操縦室のドアロックの解除を試みたが、操縦室内にいる者に意図的に、または不意的に暗証番号による操縦室ドアロック緊急解除を強制的に無効化されたことにより、失敗した場合は、入退室管理システムに設定された制限時間内に、操縦室外部に設置された生体認証媒体情報を読み取る装置にて生体情報を読み取らせ、システムの情報認証装置にて情報認証を行い、支給された暗証番号によるドアロック緊急解除の強制無効化を解除する。
【発明の効果】
【００１６】本発明は上記のようなシステムを採用することで、旅客機の操縦室に常時いる旅客機を操縦するパイロット及び操縦業務をサポートする者が旅客機の操縦室を一時的に退室した場合は、操縦室内に残る者の操作に依存することなく、確実に操縦室内に入ることができる。
【００１７】本特許出願に係る請求項１にある暗証番号によるドアロック緊急解除の無効化を解除する手段に用いられる情報を旅客機の操縦室に常時的にいる旅客機を操縦するパイロット及び操縦業務をサポートする者のみに伝えることにより、ハイジャックが発生した場合は、操縦室内にいる者がドアロックを解除せず、更に暗証番号によるドアロック緊急解除が強制的に無効にした場合は、ハイジャック犯は暗証番号によるドアロック緊急解除無効化を解除する情報を入手できないため、操縦室内にハイジャック犯に侵入されることを確実に阻止できる。
【００１８】本特許出願に係る請求項２にある暗証番号によるドアロック緊急解除の無効化を解除する手段に用いられる情報を旅客機の操縦室に常時的にいる旅客機を操縦するパイロット及び操縦業務をサポートする者の生体情報を採用することにより、ハイジャックが発生した場合は、操縦室内にいる者がドアロックを解除せず、更に暗証番号によるドアロック緊急解除が強制的に無効にした場合は、ハイジャック犯は暗証番号によるドアロック緊急解除無効化を解除する操縦室内にいる者の生体情報を入手できないため、操縦室内にハイジャック犯に侵入されることを確実に阻止できる。
【発明を実施するための形態】
【００１９】以下に本発明の実施の形態について、図面を参照して説明する。
【００２０】図１に、本発明のシステム動作フローチャートを示す。
【００２１】ＩＣカードなど記録認証媒体を認証手段情報の記録媒体に用いる場合は、予めに旅客機の操縦室入退室管理システムに暗証番号による操縦室ドアロック緊急解除の強制無効化を解除する認証情報を操縦室入退室管理システムに登録し、認証情報を記録媒体に記録する。操縦室の外に記録認証媒体の情報を読み取る装置を設置ける。
【００２２】操縦室入退室管理システムに、暗証番号による操縦室ドアロック緊急解除をしても、暗証番号によるドアロック緊急解除が強制無効化されたことにより解除失敗してから、暗証番号によるドアロック緊急解除強制無効化を解除するまでの制限時間を設定する。
【００２３】旅客機の操縦室に常時的にいる旅客機を操縦するパイロット及び操縦業務をサポートする者のみに暗証番号によるドアロック緊急解除強制無効化を解除する手段に用いられる認証情報を記録した記録媒体を発行し、携帯してもらう。
【００２４】旅客機の操縦室に常時的にいる旅客機を操縦するパイロット及び操縦業務をサポートする者が一時的に操縦室を退室し、再び操縦室に入室しようとする際、操縦室内にいる者は入室要請に応じず、更に、パイロット、操縦をサポートする者、客室乗務員が持っている暗証番号にて、操縦室のドアロックの解除を試みたが、操縦室内にいる者に意図的に、または不意的に暗証番号による操縦室ドアロック緊急解除を強制的に無効化されたことにより、失敗した場合は、制限時間内に、支給された暗証番号によるドアロック緊急解除の強制無効化を解除する手段に用いられる認証情報を記録した記録媒体を操縦室外部に設置された記録認証媒体の情報を読み取る装置にて認証情報を読み取らせ、操縦室入退室管理システムにて情報認証を行い、暗証番号によるドアロック緊急解除の強制無効化を解除し、ドアロックを解除する。
【００２５】暗証番号による操縦室ドアロック緊急解除を実施する暗証番号入力装置は、暗証番号によるドアロック緊急解除強制無効化を解除する認証情報を読み取る装置は別々に設けてもいいし、同じ装置でもいい。
【００２６】本特許出願に係る請求項２に記載の発明である暗証番号によるドアロック緊急解除強制無効化を解除する手段として、生体認証を用いる場合は、当該旅客機の操縦及び操縦サポートの者の生体情報を予めに操縦室入退室管理システムに暗証番号による操縦室ドアロック緊急解除の強制無効化を解除する認証情報として登録する。生体情報を認証する装置をシステムに設け、操縦室外部の客室に生体情報を読み取る装置を設ける。
【００２７】旅客機の操縦室に常時的にいる旅客機を操縦するパイロット及び操縦業務をサポートする者が一時的に操縦室を退室し、再び操縦室に入室しようとする際、操縦室内にいる者は入室要請に応じず、更に、パイロット、操縦をサポートする者、客室乗務員が持っている暗証番号にて、操縦室のドアロックの緊急解除を試みるが、操縦室内にいる者に意図的に、または不意的に暗証番号による操縦室ドアロック緊急解除を強制的に無効化されたことにより、失敗した場合は、制限時間内に、操縦室外部に設置された生体認証媒体情報を読み取る装置にて生体情報を読み取らせ、操縦室入退室管理システムにて情報認証を行い、暗証番号によるドアロック緊急解除の強制無効化を解除し、ドアロックを解除する。
【００２８】暗証番号によるドアロック緊急解除が失敗してから制限時間を過ぎてから暗証番号によるドアロック緊急解除の強制無効化を解除を実施する場合は、制限時間を過ぎたことを入室しようとする情報認証する者に知らせる。この場合は操縦室のドアロック状態は継続される。
【００２９】入室しようとする情報認証する者は再度、暗証番号による操縦室ドアロック緊急解除作業からやり直す。
【図面の簡単な説明】
【００３０】
【図１】本発明のシステム動作フローチャート図である。
【図１】
2016190628.tif 000003